(57)【特許請求の範囲】
【請求項１】
軸筒の後方部に形成した複数の摺動孔より露出させた複数の摺動体に形成した突部のいずれかを前進させることにより、前記摺動体に連結した筆記体の筆記先端部を前記軸筒の先端開口部から突出させるスライド繰出式多芯筆記具において、
前記軸筒の後方部に、前記摺動体が前記摺動孔の後端部へ後退した状態で隣接する複数のリブを設け、当該リブにより前記摺動体の突部に対する後方からの接触を防止させることを特徴としたスライド繰出式多芯筆記具。
【請求項２】
前記摺動体の突部を、当該摺動体の後端部に形成したことを特徴とする請求項１に記載のスライド繰出式多芯筆記具。
【請求項３】
前記摺動体の突部が前記摺動孔の後端部に位置する状態において、前記摺動体の突部および前記リブにおける前記軸筒の側方の最外部位置を略一致させたことを特徴とする請求項１または２に記載のスライド繰出式多芯筆記具。
【請求項４】
前記摺動体の突部の側面に滑止部を形成したことを特徴とする請求項１ないし３のいずれか１項に記載のスライド繰出式多芯筆記具。
【請求項５】
前記摺動孔より露出させた前記摺動体の突部の色を当該摺動体に連結した筆記体の筆記色に応じた色にすると共に、前記リブの色を当該リブの前方に位置する前記摺動体の突部の色と同色にしたことを特徴とする請求項１ないし４のいずれか１項に記載のスライド繰出式多芯筆記具。
【請求項６】
前記軸筒が後方に前記リブを設けたキャップを有し、前記軸筒内に、筆記体としてシャープペンシル体を収容すると共に、前記軸筒の後端部に消しゴムを収容し、前記キャップを前記軸筒の後端部に装着することにより、前記消しゴムを被覆させることを特徴とする請求項１ないし５のいずれか１項に記載のスライド繰出式多芯筆記具。
【請求項７】
前記キャップに係止部を設けると共に前記軸筒に前記係止部と係止する係止受部を設け、前記キャップを前記軸筒に装着した際に、前記係止部と係止受部とが係止することによって、当該キャップのリブと前記摺動体との位置が合致する構造としたことを特徴とする請求項６に記載のスライド繰出式多芯筆記具。
【請求項８】
前記リブの前方に前記摺動体が当接する弾性部を設け、前記摺動体が前記軸筒内に設けたコイルスプリングにより前記摺動孔の後方へ後退した際の衝撃を、前記リブの弾性部で緩和させることを特徴とする請求項１ないし７のいずれか１項に記載のスライド繰出式多芯筆記具。
【発明の詳細な説明】
【技術分野】
【０００１】
本発明は、軸筒の後方部に設けた摺動孔より露出させた摺動体を前進させて、軸筒の先端開口部から筆記先端部を突出させるスライド繰出式多芯筆記具に関する。
【背景技術】
【０００２】
特開２００１−１１３８８３号公報に見られるように、軸筒の後方部に設けた摺動孔より露出させた摺動体を前後動させることにより、軸筒の先端開口部から筆記先端部を出没させるスライド繰出構造の多芯筆記具はよく知られている。尚、一般的に筆記具の軸筒後端部は、軸筒の中間部と同径であるか先細りになっていることから、軸筒の後端側から見たときには摺動体が軸筒の外方へ突出した状態になっており（図１０参照）、このことから筆記具をポケットに装着した状態で、誤って摺動体に触れてしまった場合には、筆記先端部が不本意に軸筒から突出してポケットを汚してしまうことがあった。
【特許文献１】特開２００１−１１３８８３号公報
【発明の開示】
【発明が解決しようとする課題】
【０００３】
本発明では、軸筒の後方部に設けた摺動孔より露出させた摺動体を前進させて、軸筒の先端開口部から筆記先端部を突出させるスライド繰出式多芯筆記具において、誤って筆記体の筆記先端部が軸筒の先端開口部から突出しにくい構造のスライド繰出式多芯筆記具を提供することを目的とする。
【課題を解決するための手段】
【０００４】
本発明は、
「１．軸筒の後方部に形成した複数の摺動孔より露出させた複数の摺動体に形成した突部のいずれかを前進させることにより、前記摺動体に連結した筆記体の筆記先端部を前記軸筒の先端開口部から突出させるスライド繰出式多芯筆記具において、
前記軸筒の後方部に、前記摺動体が前記摺動孔の後端部へ後退した状態で隣接する複数のリブを設け、当該リブにより前記摺動体の突部に対する後方からの接触を防止させることを特徴としたスライド繰出式多芯筆記具。
２．前記摺動体の突部を、当該摺動体の後端部に形成したことを特徴とする１項に記載のスライド繰出式多芯筆記具。
３．前記摺動体の突部が前記摺動孔の後端部に位置する状態において、前記摺動体の突部および前記リブにおける前記軸筒の側方の最外部位置を略一致させたことを特徴とする１項または２項に記載のスライド繰出式多芯筆記具。
４．前記摺動体の突部の側面に滑止部を形成したことを特徴とする１項ないし３項のいずれか１項に記載のスライド繰出式多芯筆記具。
５．前記摺動孔より露出させた前記摺動体の突部の色を当該摺動体に連結した筆記体の筆記色に応じた色にすると共に、前記リブの色を当該リブの前方に位置する前記摺動体の突部の色と同色にしたことを特徴とする１項ないし４項のいずれか１項に記載のスライド繰出式多芯筆記具。
６．前記軸筒が後方に前記リブを設けたキャップを有し、前記軸筒内に、筆記体としてシャープペンシル体を収容すると共に、前記軸筒の後端部に消しゴムを収容し、前記キャップを前記軸筒の後端部に装着することにより、前記消しゴムを被覆させることを特徴とする１項ないし５項のいずれか１項に記載のスライド繰出式多芯筆記具。
７．前記キャップに係止部を設けると共に前記軸筒に前記係止部と係止する係止受部を設け、前記キャップを前記軸筒に装着した際に、前記係止部と係止受部とが係止することによって、当該キャップのリブと前記摺動体との位置が合致する構造としたことを特徴とする６項に記載のスライド繰出式多芯筆記具。
８．前記リブの前方に前記摺動体が当接する弾性部を設け、前記摺動体が前記軸筒内に設けたコイルスプリングにより前記摺動孔の後方へ後退した際の衝撃を、前記リブの弾性部で緩和させることを特徴とする１項ないし７項のいずれか１項に記載のスライド繰出式多芯筆記具。」である。
【０００５】
軸筒の後方部に形成するリブの巾は、摺動体の巾に対して異なっていてもよく、双方の巾を一致させた場合には、リブと摺動体とに一体感が生じてリブの存在が目立たないものとなる。またリブの形状は、リブを形成する軸筒の後方部の外側形状に合わせて形成すると、リブを目立ちにくい状態にすることができる。リブの前方に設ける弾性部は、射出成形時においてゴムなどの弾性部材を例えば二色成形で形成するとよい。
【発明の効果】
【０００６】
本発明は前述した構造なので、例えば筆記具に設けたクリップでポケット等に装着した状態において、ポケットから露出している筆記具の摺動体の突部に対して、軸筒の後方部に設けた複数のリブによって接触を防止できることから、筆記先端部が意図せずに軸筒から突出してポケット等を汚してしまうということがなくなる。
【０００７】
また、摺動体の突部を当該摺動体の後端部に形成することによって、その摺動体の後方に位置するリブを当該摺動体の突部と接近させた状態に配置させることが容易となるので、デザイン的に摺動体の突部とリブとの連続性がよくなると共に、摺動体の突部とリブとの間にものが入り込むことによる誤作動も防ぐことができる。
【０００８】
また、摺動体が前記摺動孔の後端部に位置した状態における摺動体の突部とリブの側方の最外部位置を略一致させることによって、摺動体への後方からの接触をさらに防止させることができ、またこの場合、摺動体の突部の側面に滑止部を設けることによって、リブの存在で後方から動かし難くなった摺動体の操作が行いやすいものとなる。
【０００９】
また、摺動孔より露出した摺動体の突部を、当該摺動体に連結した筆記体の筆記色に応じた色にすると共に、リブの色も前方に位置した摺動体の突部の色と同色にすることによって、後方側から見にくくなった摺動体の突部を、その摺動体の後方位置にあるリブの色によって判別して、所望する筆記体に連結された摺動体を操作して、目的とする筆記体の筆記先端部を突出させることが可能となる。
【００１０】
また、軸筒の後端部に消しゴムを収容し、外側面にリブを有したキャップを軸筒の後端部に装着して消しゴムを被覆することにより、前記効果と同様に摺動体の後方からの突部への接触を防止できると共に、軸筒内に筆記体として収容したシャープペンシル体にて筆記した筆跡を消去することが可能となり利便性が向上する。またキャップを螺合により装着する構造とした場合には、リブでキャップが回しやすくなると共に、リブがキャップの転がり防止となる。
【００１１】
また、キャップに係止部を設けると共に軸筒に前記係止部と係止する係止受部を設け、キャップを軸筒に装着する際に、係止部と係止受部とが係止することによって、キャップのリブと摺動体との位置が合致する構造にすることで、外したキャップをはめる際に必ず摺動体の位置に対してキャップのリブの位置が一致するものとなる。
【００１２】
また、リブの前方に摺動体が当接する弾性部を設け、摺動体が軸筒内に設けたコイルスプリングにより摺動孔の後方へ後退した際の衝撃を、リブの弾性部で緩和させる構造とすることで、軸筒内のコイルスプリングで後方に弾発された摺動体が摺動孔の後端に衝突するときの音を軽減させ、筆記体の内部のインキや鉛芯に加わる衝突時の悪影響を防止することができる。
【図面の簡単な説明】
【００１３】
【図１】図１は、本実施例のスライド繰出式多芯筆記具の後方部の斜視図である。
【図２】図２は、図１のキャップを外した状態の図である。
【図３】図３は、シャープペンシル体に連結された摺動体を操作したときの要部斜視図である。
【図４】図４は、シャープペンシル体を操作したときの縦断面図である。
【図５】図５は、本実施例のスライド繰出式多芯筆記具をポケットに装着した状態の図である。
【図６】図６は、本実施例のスライド繰出式多芯筆記具を後端側より見たときの図である。
【図７】図７は、他の実施例を示す図である。
【図８】図８は、他の実施例を示す図である。
【図９】図９は、他の実施例を示す図である。
【図１０】図１０は、従来のスライド繰出式多芯筆記具である。
【発明を実施するための形態】
【００１４】
以下、図面を参照して本発明の実施例を説明する。尚、図面中の同じ部材、同じ部品については同じ番号を付してある。本実施例の説明においては図面の下方を前方と表現し、反対側を後方と表現する。
【実施例】
【００１５】
図１，図２に示すように、本実施例のスライド繰出式多芯筆記具１は、軸筒の後軸２の後方部に３つの摺動孔２ａを形成してあり、それぞれの摺動孔２ａに３つの摺動体３，４，５を、突部３ａ，４ａ，５ａを摺動孔２ａから露出させた状態で前後動可能に配設してある。尚、本実施例における摺動体の突部の側面には、凹凸に形成した滑止部３ｂ，４ｂ，５ｂを設けてスライド操作を行いやすくしてある。また、後軸２の後方部にはクリップ６を形成してある。また本実施例では、図２に示すように、後軸２の後端に突出部２ｂを形成してあり、突出部２ｂに対してキャップ７を装着できる構造としてある。キャップ７の側面には、９０度毎の配置に突出させたリブ７ａ，７ｂ，７ｃを設けてあり、各リブの先端部には、キャップ７の底面７ｄから突出するよう設けたエラストマーからなる弾性部８を二色成形で形成してある。図に示す通り本実施例では、前記各リブは前記各摺動体の巾と同じ巾で、キャップ７の外側形状に沿って形成してある。またキャップ７の内面には、内向きの係止突起７ｅを形成してあり、後軸２の突出部２ｂに形成した係止溝２ｃに係止できるようにしてあり、係止した状態において、図１に示すように、リブ７ａが摺動体３と、リブ７ｂが摺動体４と、リブ７ｃが摺動体５と合致する構造としてある。尚、摺動体３は、前方にシャープペンシル体（図示せず）を連結し、色を灰色としてあり、リブ７ａの色も灰色で一致させてある。摺動体４は、前方に黒色のボールペン（図示せず）を連結し、色を黒色としてあり、リブ７ｂの色も黒色で一致させてある。摺動体５は、前方に赤色のボールペン（図示せず）を連結し、色を赤色としてあり、リブ７ｃの色も赤色で一致させてある。
【００１６】
また本実施例では、摺動体３，４，５が、軸筒内のコイルスプリング（図示せず）に弾発されて後退したときに、各摺動体の突部３ａ，４ａ，５ａがキャップ７の弾性部８に衝突して、衝撃が緩和されるようにしてある。また後軸２に設けた突出部２ｂの外側には、段部２ｄを形成してあり、キャップ７内に形成した段部（図示せず）を乗り越えてキャップ７が抜け落ちない状態で装着できるようにしてある。後軸２の突出部２ｂには消しゴム収容部２ｅを形成してあり、消しゴム９を収容してある。
【００１７】
次に、図３，図４を用いて本実施例のスライド繰出式多芯筆記具におけるスライド操作の説明を行う。図３に示すように、摺動体３の突部３ａを摺動孔２ａの前方へスライドすることで、摺動体３の前方に連結したシャープペンシル体３０の先端部３０ａを、後軸４の前方に配した前軸１０の先端開口部１０ａより突出させることができる。さらに図４を用いて内部構造を詳述すると、摺動体３を前進させることで、後軸２内のコイルスプリング１１を圧縮しながら、摺動体３の後方内側に形成した係止突起３ｃが後軸２の内面に形成した係止受部２ｆに係止して、シャープペンシル体３０の先端部３０ａを前軸１０の先端開口部１０ａから突出させた状態で維持できる構造である。
【００１８】
また図４の状態から、摺動体４の突部４ａを前方へスライドさせることで、摺動体４に形成した係止解除突起４ｄにより、後軸２の係止受部２ｆに係止してある摺動体３の係止突起３ｃを解除して、シャープペンシル体３０の先端部３０ａを前軸１０内に没入させ、さらに摺動体４を前進させることにより、摺動体４の後端部に形成した係止突起４ｃを後軸２の係止受部２ｆに係止させ、ボールペン体４０の先端部４０ａを前軸１０の先端開口部１０ａから突出した状態で維持させることができる。このような出没動作は、後軸２の摺動孔２ａから突出させた各摺動体の突部をスライド操作することによって繰返し行うことができる。
【００１９】
次に図５を用いて、本実施例のスライド繰出式多芯筆記具をポケットに装着した状態について説明を行う。図５では、スライド繰出式多芯筆記具１を、クリップ６にて、ポケット１００へ挟持した状態としてある。本実施例のスライド繰出式多芯筆記具１は、摺動体３，４，５の突部３ａ，４ａ，５ａにキャップ７のリブ７ａ，７ｂ，７ｃが隣接し、後端側から見ると、図６に示すように各リブの位置が各摺動体の位置と合致し、さらに側方への最外部位置も一致しており、図５に示すように、ポケット１００へ別の筆記具２００を装着する際に、筆記具２００が本実施例のスライド繰出式多芯筆記具１に当たっても、各摺動体には接触しにくく、誤って筆記体の先端部が突出してしまうことはなかった。
【００２０】
図７〜図９は本発明の他の実施例である。図７は、後軸２とキャップ７とを螺合により装着する構造である。後軸２の突出部２ｂの外周面には雄螺子部２ｇを形成してあり、キャップ７の内面には雌螺子部（図示せず）を形成してある。本実施例では、キャップ７の外周面にリブ７ａ，７ｂ，７ｃを設けてあることから、キャップの着脱時においてキャップ７を回転させやすく、また外したキャップが転げ落ちにくく、螺子嵌合させた状態においてはリブ７ａ，７ｂ，７ｃと摺動体３，４，５とが合致する構造とした。他の点は前記実施例と同様のため説明を省略する。図８は、前述の実施例と同様でキャップ７にリブ７ａ，７ｂ，７ｃを形成すると共に、クリップ６に隣接する位置にもリブ７ｆを形成したものである。図９は、後軸２の後端部の外周面にリブ７ａ，７ｂ，７ｃを形成したものである。
【産業上の利用可能性】
【００２１】
本発明のスライド繰出式多芯筆記具は、軸筒の内部に収容する筆記体として、特開平７−２９０８８５号公報に見られるような樹脂チップを先端に有した入力ペンや、特開２００７−３８６３５号公報に見られるような棒状消しゴムを備えた消しゴム繰出体など、軸筒内へ収容できるものに利用可能である。
【符号の説明】
【００２２】
１…スライド繰出式多芯筆記具、
２…後軸、２ａ…摺動孔、２ｂ…突出部、２ｃ…係止溝、
２ｄ…段部、２ｅ…消しゴム収容部、２ｆ…係止受部、
２ｇ…雄螺子部、
３，４，５…摺動体、３ａ，４ａ，５ａ…突部、
３ｂ，４ｂ，５ｂ…滑止部、
３ｃ…係止突起、４ｃ…係止突起、４ｄ…係止解除突起、
６…クリップ、
７…キャップ、７ａ，７ｂ，７ｃ…リブ、７ｄ…底面、
７ｅ…係止突起、７ｆ…リブ、
８…弾性部、９…消しゴム、
３０…シャープペンシル体、３０ａ…先端部、
１０…前軸、１０ａ…先端開口部、１１…コイルスプリング、
４０…ボールペン体、４０ａ…先端部、
１００…ポケット、２００…他の筆記具。
【図１】
0005382931.tif 000002
【図２】
0005382931.tif 000003
【図３】
0005382931.tif 000004
【図４】
0005382931.tif 000005
【図５】
0005382931.tif 000006
【図６】
0005382931.tif 000007
【図７】
0005382931.tif 000008
【図８】
0005382931.tif 000009
【図９】
0005382931.tif 000010
【図１０】
0005382931.tif 000011